(57)【要約】【課題】パレットに積んだ荷物を、格子状に形成したベルトにて確実に保持すると共に、保護部や保持板により特にダンボールケースの角部の変形を防止し、各種ベルトの組み合せにより荷崩れを防止するパレット用カバーベルトを提供する。【解決手段】パレットに積んだ荷物の外周５面を保持するパレット用カバーベルトであって、ベルトを格子状に形成してなる保持体を５面設けてなることを特徴とする。【選択図】　図１
2004142825.tif 000002
【特許請求の範囲】
【請求項１】
パレットに積んだ荷物の外周５面を保持するパレット用カバーベルトであって、ベルトを格子状に形成してなる保持体を５面設けてなることを特徴とするパレット用カバーベルト。
【請求項２】
１面の保持体を、少なくとも３本の縦ベルトと３本の横ベルトにて形成してなることを特徴とする請求項１記載のパレット用カバーベルト。
【請求項３】
荷物の角部を保護するための保護部をベルトに設けてなることを特徴とする請求項１又は２記載のパレット用カバーベルト。
【請求項４】
保護部を、保持体の両側の縦ベルトに設けてなることを特徴とする請求項３記載のパレット用カバーベルト。
【請求項５】
保護部を、保持体の最上段の横ベルトに設けてなることを特徴とする請求項３又は４記載のパレット用カバーベルト。
【請求項６】
ベルトが、伸縮自在なベルトと伸縮しないベルトの組み合せであることを特徴とする請求項１、２、３、４又は５記載のパレット用カバーベルト。
【請求項７】
少なくとも横ベルトの中央部に伸縮自在なベルトを設けてなることを特徴とする請求項６記載のパレット用カバーベルト。
【請求項８】
パレットに積んだ荷物の外周４側面を保持するパレット用カバーベルトであって、荷物の縦方向の角部を保持する平面Ｌ字形の保持板を４箇所設けると共に、この保持板に横ベルトを挿通するための挿通部を設けてなることを特徴とするパレット用カバーベルト。
【請求項９】
少なくとも最上段の横ベルトと最下段の横ベルトに、移動自在に取り付けるべく、上下端に環部を設けてなる縦ベルトを少なくとも全周で４本設けてなることを特徴とする請求項８記載のパレット用カバーベルト。
【請求項１０】
横ベルトの少なくとも３本に締め付けるためのバックルを設けてなることを特徴とする請求項２、３、４、５、６、７、８又は９記載のパレット用カバーベルト。
【発明の詳細な説明】
【０００１】
【発明の属する技術分野】
本発明は、パレットに積んだ荷物の荷崩れを防止するためのパレット用カバーベルトに関するものである。
【０００２】
【従来の技術】
従来の技術としては、シート材を帯状に形成したものを荷物の外周に巻き、端部を凸凹テープにて固着してなるものがある。（一例のサイズとして、幅１２５０ｍｍ・長さ４５００ｍｍ・厚み０．４ｍｍのもの）
【０００３】
また、一本のベルトを荷物の最上段に巻き付けバックルで固定するものがある。
【０００４】
さらに、幅３００ｍｍのラップ状のものを荷物の外周に、ぐるぐる巻きするものがある。
【０００５】
しかしながら、上記前者の場合は、特に凸凹テープを何度も使用していると固着力が弱くなり使用できなくなると共に、もともと固着力が弱く荷物を保持できないのが現状である。
【０００６】
上記中者においては、一本のベルトで締め付けることにより固定しているため、特に荷物の箱がダンボールである場合は、角部が変形することが多々有り、店側からのクレームが多く発生しているのが現状である。
【０００７】
上記後者においても、荷物の外周を確実に固定するという面では問題ないが、一回ごとの使用捨てであり、コストがかさむと共に、環境的にも問題があり、荷物を傷めることなく、再利用可能で、確実に保持できる形態のものが早急に望まれている。
【０００８】
【発明が解決しようとする課題】
本発明は、上記の種々の問題点に鑑みなされたもので、その目的は、パレットに積んだ荷物を、格子状に形成したベルトにて確実に保持すると共に、保護部や保持板により特にダンボールケースの角部の変形を防止し、各種ベルトの組み合せにより荷崩れを防止するパレット用カバーベルトを提供するものである。
【０００９】
【課題を解決するための手段】
上記課題を解決するための手段として、パレットに積んだ荷物の外周５面を保持するパレット用カバーベルトであって、ベルトを格子状に形成してなる保持体を５面設けてなること。また、１面の保持体を、少なくとも３本の縦ベルトと３本の横ベルトにて形成してなること。荷物の角部を保護するための保護部をベルトに設けてなること。さらに、保護部を、保持体の両側の縦ベルトに設けてなること。保護部を、保持体の最上段の横ベルトに設けてなること。さらにまた、ベルトが、伸縮自在なベルトと伸縮しないベルトの組み合せであること。少なくとも横ベルトの中央部に伸縮自在なベルトを設けてなること。その上、パレットに積んだ荷物の外周４側面を保持するパレット用カバーベルトであって、荷物の縦方向の角部を保持する平面Ｌ字形の保持板を４箇所設けると共に、この保持板に横ベルトを挿通するための挿通部を設けてなること。少なくとも最上段の横ベルトと最下段の横ベルトに、移動自在に取り付けるべく、上下端に環部を設けてなる縦ベルトを少なくとも全周で４本設けてなること。その上また、横ベルトの少なくとも３本に締め付けるためのバックルを設けてなることを特徴とする。
【００１０】
【発明の実施の形態】
パレット用カバーベルト１は、パレットに積んだ荷物の外周５面を包み込んで保持してなるもので、縦ベルトＴと横ベルトＴ１を格子状に形成してなる保持体２を５面設けてなるものである。
上記保持体２の側面の３面は、４本の縦ベルトＴと４本の横ベルトＴ１とからなり、各横ベルトＴ１の中央部を伸縮自在なベルトＴ１ａとし、その両側に伸縮しないベルトＴ１ｂを設けてなる構成であり、各縦ベルトＴはすべて伸縮しないベルトとする。
なお、上面の保持体２は、各横ベルトＴ１の他に、各縦ベルトＴにも同様な中央部に伸縮自在なベルトＴａの両側に伸縮しないベルトＴｂを設けてなるものである。
また、側面の他の１面の保持体２における４本の横ベルトＴ２の中央付近に、締め付けるためバックルＢ（通称Ｄ環）を設けてなるものである。
【００１１】
上記パレット用カバーベルト１の使用例について下記に述べる。
予めパレットＰ上に品物Ｓを積み重ねた荷物Ｎの上方よりパレット用カバーベルト１を差し込み荷物Ｎの外周５面を保持するもので、この時、側面の３面の保持体２の各横ベルトＴ１の伸縮自在なベルトＴ１ａを適度に伸ばすと共に、上面の保持体２の各横ベルトＴ１の伸縮自在なベルトＴ１ａ及び各縦ベルトＴの伸縮自在なベルトＴａを適度に伸ばし、最後に各バックルＢを締め付けて固定するものである。
【００１２】
上記のようにパレット用カバーベルト１にて荷物Ｎの外周５面を保持することにより、荷物Ｎを車載し移動する時の荷崩れを各ベルトにて確実に防止できるものである。
【００１３】
つぎに、他の実施例について説明する。
保持体２２の両側の縦ベルトＴの内側に、合成樹脂等による平板状の保護部Ｈを設けてなるもので、特にダンボールで梱包された品物（荷物）において、縦角部を保護できるものである。
【００１４】
保持体３２の最上段の横ベルトＴ１の内側に、上記と同様な保護部Ｈ１を設けてなるものである。
これも、特にダンボールで梱包された品物（荷物）において、横角部を保護できるものである。
【００１５】
パレット用カバーベルト３１は、パレットに積んだ荷物の外周４側面を保持するパレット用カバーベルトであって、荷物の縦方向の４つの角部を保持する平面Ｌ字形の合成樹脂製等の適宜な剛性を有する４箇所の保持板３それぞれに、上下３段の横ベルトＹＢを挿通するための挿通部３ａを６箇所貼着してなると共に、最上段の横ベルトＹＢと最下段の横ベルトＹＢに、移動自在に取り付けるべく上下端に環部Ｔｂａを設けてなる縦ベルトＴｂを１面当り２本（全周で８本）設けてなるものである。
なお、３本の横ベルトＹＢのそれぞれの１箇所に、前記と同様なバックルＢ１を設けてなるものであり、横ベルトＹＢは伸び縮みしない材質（合成樹脂等）が望ましい。
【００１６】
上記パレット用カバーベルト３１の使用例としては、予めバックルＢ１にて横ベルトＹＢを緩めた状態のものを荷物Ｎ１の上方より挿入する。
つぎに、各保持板３を荷物の角部にセットし、縦ベルトＴｂを移動させ所要の位置（荷崩れしにくい位置）にセットする。
その後、各横ベルトＹＢを締め付け、バックルＢ１にて固定するものである。
【００１７】
上記各実施例において、各ベルトの幅や長さ、材質等は特に限定することはなく、同様な機能を有するものであればよい。
また、各保持体における各ベルトの本数は３本でも５本でも、必要に応じて設定すればよい。
さらに、保持板は一体でも折り畳み式でもどちらでもよい。
【００１８】
【発明の効果】
１）、パレットに積んだ荷物の底面を除く５面を、格子状に形成したベルトにて確実に保持できるため、移動中の荷崩れを防止できる。
２）、１面の保持体の各ベルトの本数は、４本がバランス的によい。
３）、保護部を設けることにより、特にダンボールで梱包された品物（荷物）の角部を保護することができる。
４）、伸縮自在なベルトと伸縮しないベルトの組み合せにより、効果的に荷物を保持できる。
５）、特に中央部に伸縮自在なベルトを設けることにより、バランスよく荷物を締め付けることもできる。
６）、荷物の外周４側面を保持することにより、作業性を向上させると共に、保持板にてより確実にダンボール箱の角部を保護できる。
７）、縦ベルトが移動することにより、横ベルトを締め付けた後においても所要の位置（荷崩れしにくい位置）にセットできる。
８）、横ベルトにバックルを設けることにより、より確実に荷物を締め付けることができる。
【図面の簡単な説明】
【図１】本発明の第１実施例を示すパレット用カバーベルトの表側斜視図。
【図２】本発明の第１実施例を示すパレット用カバーベルトの裏側斜視図。
【図３】本発明の第１実施例を示すパレット用カバーベルトの使用状態の斜視図。
【図４】本発明の第２実施例を示すパレット用カバーベルトの縦ベルトの要部の横断平面図。
【図５】本発明の第２実施例を示すパレット用カバーベルトの横ベルトの要部の縦断側面図。
【図６】本発明の第３実施例を示すパレット用カバーベルトの表側斜視図。
【図７】本発明の第３実施例を示すパレット用カバーベルトの裏側斜視図。
【図８】本発明の第３実施例を示すパレット用カバーベルトの使用状態の斜視図。
【符号の説明】
１−−−パレット用カバーベルト
２−−−保持体
Ｔ１−−横ベルト
Ｔ１ａ−伸縮自在なベルト
Ｔ１ｂ−伸縮しないベルト
Ｔ−−−縦ベルト
Ｔａ−−伸縮自在なベルト
Ｔｂ−−伸縮しないベルト
Ｓ−−−品物
Ｎ−−−荷物
Ｐ−−−パレット
【図１】
2004142825.tif 000003
【図２】
2004142825.tif 000004
【図３】
2004142825.tif 000005
【図４】
2004142825.tif 000006
【図５】
2004142825.tif 000007
【図６】
2004142825.tif 000008
【図７】
2004142825.tif 000009
【図８】
2004142825.tif 000010